【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
小売種子卸業者における、オンサイト操作のために適合された自動化種子処理システムであって、
種子処理レシピに基づいて、種子のバッチに、複数の化学物質処理を適用するように構成された密封された種子処理機槽と、
密封された移動可能化学物質容器を受領するための大きさの複数のポンプステーションであって、各ポンプステーションには、ポンプおよび前記種子処理機槽に連通するフローチャネルが含まれる、複数のポンプステーションと、
種子処理レシピに対応して、前記複数のポンプステーションそれぞれからの材料移送指示を受領し、各ポンプステーションの前記ポンプの操作を制御するように構成されたプログラム可能なシステムコントローラとを含み、
前記プログラム可能なシステムコントローラが、種子処理の間に、対応する材料移送指示に基づいて、前記各ポンプステーションにおいて、化学物質容器からの化学物質の少なくとも消費を表す操作データを回収し、前記小売種子卸業者の場所から遠隔に位置し、前記小売種子卸業者とは異なる少なくとも１つの第三者にアクセス可能である、遠隔ホスト情報システムに、前記操作データを提供するように構成される、自動化種子処理システム。
【請求項２】
さらに、少なくとも１つのバーコードスキャナと、前記プログラム可能なシステムコントローラに動作可能に連結し、前記ポンプステーションのそれぞれの化学物質容器と関連した化学物質パラメータ情報を読み取るように構成された無線自動識別（ＲＦＩＤ）リーダーを含み、かつ前記プログラム可能なシステムコントローラが、化学物質容器の第三者供給業者によって遠隔アクセス可能な在庫データベース中の前記化学物質パラメータ情報を受信し、保存するように構成される、請求項１に記載の自動化種子処理システム。
【請求項３】
前記在庫データベースが、前記種子処理システムから遠隔でホストされ、前記種子処理システムに通信可能に連結された、請求項１または２に記載の自動化種子処理システム。
【請求項４】
前記プログラム可能なシステムコントローラが、報告書作成および在庫管理のために、遠隔ホスト情報システムに、前記化学物質処理の消費を表す情報を供給するようにプログラムされる、請求項１〜３のいずれか１項に記載の自動化種子処理システム。
【請求項５】
前記プログラム可能なシステムコントローラが、外部供給源から環境条件データを受信し、少なくとも１つの前記ポンプステーションを、前記環境条件データに対応して、新規ポンプ速度にて操作するように、前記環境条件データに基づいて、前記種子処理レシピに対する調節を自動的に行うように構成される、請求項１〜４のいずれか１項に記載の自動化種子処理システム。
【請求項６】
前記操作データが、ポンプ性能を表す材料消費情報を含む、請求項１〜５のいずれか１項に記載の自動化種子処理システム。
【請求項７】
前記操作データが、特定量の消費された化学物質を表す材料消費情報を含む、請求項１〜６のいずれか１項に記載の自動化種子処理システム。
【請求項８】
前記操作データが、特定量の処理した種子を表す材料消費情報を含む、請求項１〜７のいずれか１項に記載の自動化種子処理システム。
【請求項９】
前記プログラム可能なシステムコントローラが、前記遠隔ホスト情報システムから、前記種子処理レシピを受信するように構成される、請求項１〜８のいずれか１項に記載の自動化種子処理システム。
【請求項１０】
前記プログラム可能なシステムコントローラが、化学製剤に対する制限を含む制約情報で、第三者により前記遠隔ホスト情報システムに提供される前記制約情報を、前記遠隔ホスト情報システムから受信するように構成され、前記プログラム可能なシステムコントローラがさらに、特定のレシピを実行することが可能かどうか制限するために、前記制約情報を適用するように構成される、請求項１〜９のいずれか１項に記載の自動化種子処理システム。
【請求項１１】
前記少なくとも１つの第三者が、化学物質の供給業者、未処理種子の供給業者、自動化種子処理システムに対する操作サポートプロバイダ、前記自動化種子処理システムに対するサービスプロバイダ、またはそれらの任意の組み合わせからなる群より選択される組織を含む、請求項１〜１０のいずれか１項に記載の自動化種子処理システム。
【請求項１２】
前記プログラム可能なシステムコントローラが、前記遠隔ホスト情報システムから、処理した種子が植えられる農場畑の特定の詳細を表す農場特異的パラメータを受信し、前記農場特異的パラメータに基づいて前記処理レシピを調節するように構成される、請求項１〜１１のいずれか１項に記載の自動化種子処理システム。
【手続補正２】
【補正対象書類名】明細書
【補正対象項目名】０１１８
【補正方法】変更
【補正の内容】
【０１１８】
以上の本願の参考による任意の組み込みが、本明細書の明確な開示と反対である対象を組み込まないように制限される。上記本願の参考による任意の組み込みがさらに、本願に含まれる請求項が、本明細書にて参考によって組み込まれないようにさらに制限される。上記本願の参考による任意の組み込みがさらに、本願にて提供された定義が、本明細書に表示して含まれない限り、本明細書にて参考によって組み込まれないように制限される。
以下、上記の実施形態から把握できる技術的思想を付記する。
（付記１）
小売種子卸センターにて種子を自動的に処理するための方法であって、
密封した種子処理システムを介して、種子処理レシピに基づいて種子バッチに、複数の化学物質処理を自動的に適用することと、
複数の化学物質処理の個々に維持した化学物質の少なくとも消費を表す操作データを自動的に回収し、前記操作データを前記小売種子卸センターから遠隔に位置する、遠隔ホスト情報システムに提供することと、
前記遠隔ホスト情報システムに前記操作データを提供することに対応して、前記小売種子卸センターから離れた第三者に化学物質の再供給を受けることと
を含む方法。
（付記２）
さらに、化学物質容器の第三者供給業者によって遠隔でアクセス可能な在庫データベースより受信した化学物質パラメータ情報を保存すること
を含む、付記１に記載の方法。
（付記３）
さらに、外部供給源より環境条件データを受信し、前記環境条件データに基づいて、種子処理レシピを自動的に調節すること
を含む、付記１または２に記載の方法。
（付記４）
前記操作データに、ポンプ性能を表す材料消費情報が含まれる、付記１〜３のいずれか１項に記載の方法。
（付記５）
前記操作データに、処理した特定量の種子を表す材料消費情報が含まれる、付記１〜４のいずれか１項に記載の方法。
（付記６）
さらに、前記遠隔ホスト情報システムより、前記種子処理レシピを自動的に受信すること
を含む、付記１〜５のいずれか１項に記載の方法。
（付記７）
さらに、前記遠隔ホスト情報システムから、化学製剤に対する制限を含む制約情報を自動的に受信することと、
特定のレシピを実行することが可能かどうか制限するために、前記制約情報を自動的に適用することと
を含む、付記１〜６のいずれか１項に記載の方法。
（付記８）
第一小売種子卸センターにて、種子を自動的に処理するためのシステムであって、
個々に維持された化学物質保存容器から制御されて送達された１つまたはそれ以上の化学物質処理を、種子処理レシピに基づいて、種子のバッチに適用するように構成された種子処理槽と、
前記１つまたはそれ以上の化学物質処理の前記種子処理槽への送達を制御するように、
前記化学物質保存容器中に維持された化学物質の少なくとも消費を表す操作データを収集するように、かつ
前記小売種子卸センターから遠隔に位置し、前記第一小売種子卸センターに、および前記第一小売種子卸センターとは地理的に異なる複数の他の小売種子卸センターに連結した、遠隔ホスト情報システムに、前記操作データを提供するように、
構成されたシステムコントローラと
を含むシステムであって、
前記第一小売種子卸センターが、前記遠隔ホスト情報システムへの前記操作データの提供に応答して、前記第一小売種子卸センターとは異なる第三者化学物質供給業者から化学物質の再供給を受ける、システム。
（付記９）
前記システムコントローラがさらに、前記第三者供給業者によって遠隔でアクセス可能な在庫データベースから受信した化学物質パラメータ情報を保存するように構成される、付記８に記載のシステム。
（付記１０）
前記システムコントローラがさらに、外部供給源から環境条件データを受信し、前記環境条件データに基づいた前記種子処理レシピに自動的に調節を施すように構成される、付記８または９に記載のシステム。
（付記１１）
前記操作データが、ポンプ性能を表す材料消費情報を含む、付記８〜１０のいずれか１項に記載のシステム。
（付記１２）
前記操作データが、特定量の処理した種子を表す材料消費情報を含む、付記８〜１１のいずれか１項に記載のシステム。
（付記１３）
前記システムコントローラがさらに、前記遠隔ホスト情報システムから、前記種子処理レシピを自動的に受信するように構成される、付記８〜１２のいずれか１項に記載のシステム。
（付記１４）
前記システムコントローラがさらに、前記遠隔ホスト情報システムに、ユーザーが入力した種子処理レシピを自動的に送信するように構成される、付記８〜１３のいずれか１項に記載のシステム。
（付記１５）
前記システムコントローラがさらに、
前記遠隔ホスト情報システムから、化学製剤に対する制限を含む制約情報を自動的に受信するように、および
特定のレシピを実行することが可能かどうかを制限するために、前記制約情報を自動的に適用するように、
構成される、付記８〜１４のいずれか１項に記載のシステム。
（付記１６）
地理的に分散した複数の小売種子処理センターの操作を支援するための情報システムであって、
前記複数の小売種子処理センターに配置された複数の小売種子処理システムに通信結合するように適合されたネットワークインターフェースモジュールと、
前記ネットワークインターフェースモジュールを介して、前記小売種子処理センターのそれぞれに対応する種子小売業者の当事者、および少なくとも１つの供給業者の当事者を含む複数の異なる当事者と、通信可能にインターフェースで接続するように適合された、アカウントサービスロジックモジュールと
を含み、
前記アカウントサービスロジックモジュールが、各種子小売業者の当事者と前記少なくとも１つの供給業者の当事者との間の情報交換機能を提供するように適合され、各種子小売業者の当事者の前記種子処理システムによって自動的に生成される操作データが、前記アカウントサービスロジックモジュールによって受信され、前記少なくとも１つの供給業者の当事者に提供され、前記少なくとも１つの供給業者の当事者によって生成される材料取扱いデータが、前記アカウントロジックモジュールによって受信され、各種子小売業者の当事者に提供される、情報システム。
（付記１７）
各種子小売業者の当事者の前記種子処理システムがその操作パラメータの自動的な調節を引き起こすように前記材料取扱いデータが適合される、付記１６に記載の情報システム。
（付記１８）
前記少なくとも１つの供給業者の当事者が、化学物質供給業者の当事者、種子供給業者の当事者、種子処理操作サポートサービス供給業者の当事者またはこれらの任意の組み合わせからなる群より選択される１つまたはそれ以上の供給業者の当事者を含む、付記１６または１７に記載の情報システム。
（付記１９）
前記操作データが、種子処理システムパラメータ情報、実行履歴情報、現在の状態情報、材料利用情報、またはこれらの任意の組み合わせからなる群より選択される、種子処理システムのそれぞれによって生成されるデータを含む、付記１６〜１８のいずれか１項に記載の情報システム。
（付記２０）
前記操作データが、第一種子処理システムのポンピングサブシステムの性能を表す材料消費情報を含む、付記１６〜１９のいずれか１項に記載の情報システム。
（付記２１）
前記材料取扱いデータが、在庫追跡情報、レシピ情報、種子パラメータ情報、安全性情報またはこれらの任意の組み合わせからなる群より選択される前記少なくとも１つの供給業者の当事者によって生成されるデータを含む、付記１６〜２０のいずれか１項に記載の情報システム。
（付記２２）
前記アカウントサービスロジックモジュールがさらに、各種子小売業者の当事者と、前記少なくとも１つの供給業者の当事者間の情報交換機能を提供するように適合され、前記少なくとも１つの供給業者の当事者のうちの１つまたはそれ以上から種子小売業者の当事者への材料の販売に関する取引情報がそれらの間で交換される、付記１６〜２１のいずれか１項に記載の情報システム。
（付記２３）
前記アカウントサービスロジックモジュールが、複数の異なる供給業者の当事者と通信可能にインターフェースで接続するように適合される、付記１６〜２２のいずれか１項に記載の情報システム。
（付記２４）
前記アカウントサービスロジックモジュールがさらに、第一供給業者の当事者と第二種子小売業者の当事者間の操作データの交換に対応して、第一供給業者の当事者と第二種子小売業者の当事者との間の前記取引情報の交換を提供するように適合される、付記２３に記載の情報システム。
（付記２５）
前記第一供給業者の当事者が、種子供給業者であり、前記操作データが、特定量の処理した種子の説明を含む、付記２４に記載の情報システム。
（付記２６）
前記第一供給業者の当事者が、化学物質供給業者であり、前記操作データが、前記種子処理システムによる特定量の消費された化学物質の説明を含む、付記２４〜２５のいずれか１項に記載の情報システム。
（付記２７）
前記材料取扱いデータが、化学製剤に対する制限を含む制約情報を含み、各前記種子処理システムが、特定のレシピを実行することが可能かどうか制限をすることによって応答するように構成される、付記１６〜２６のいずれか１項に記載の情報システム。
（付記２８）
前記少なくとも１つの供給業者の当事者が、少なくとも１つの種子処理システムに対するサービスプロバイダを含み、
前記材料取扱いデータが、少なくとも１つの種子処理システムに対するソフトウェア更新を含む、付記１６〜２７のいずれか１項に記載の情報システム。
（付記２９）
前記アカウントサービスロジックモジュールが、各種子小売業者の当事者と、前記少なくとも１つの供給業者の当事者との間の情報交換機能を提供するようにさらに適合され、処理した種子の末端顧客への小売販売に関する末端顧客特異的情報がその間で交換される、付記１６〜２８のいずれか１項に記載の情報システム。
（付記３０）
前記アカウントサービスロジックモジュールがさらに、各種子小売業者の当事者および前記少なくとも１つの供給業者の当事者によって提供されたデータに基き意思決定機能を提供するように適合される、付記１６〜２９のいずれか１項に記載の情報システム。
（付記３１）
前記意思決定機能の結果が、前記情報システムによる、各種子処理システムに提供される更新された材料取扱いデータの生成を含む、付記３０に記載の情報システム。
（付記３２）
前記情報システムに対するアクセスを、そのようなアクセスを持つことを正しく公認された当事者にのみに制限するように適合されたアクセスセキュリティモジュールをさらに含む、付記１６〜３１のいずれか１項に記載の情報システム。
（付記３３）
各小売種子処理センターにて受領した未処理種子を表す記録を維持する種子在庫データベースをさらに含む、付記１６〜３２のいずれか１項に記載の情報システム。
（付記３４）
前記少なくとも１つの供給業者の当事者が種子供給業者を含み、
前記システムが、前記種子供給業者によって供給された前処理した種子の各種子ロットについての詳細な種子プロパティ情報を維持する種子パラメータデータベースをさらに含む、付記１６〜３３のいずれか１項に記載の情報システム。
（付記３５）
各小売種子処理センターにて手元にある化学物質に関する記録を維持する化学物質在庫データベースをさらに含む、付記１６〜３４のいずれか１項に記載の情報システム。
（付記３６）
各種子処理システムによって実施可能である製剤および処理段階を含むレシピ情報を記述する詳細な情報を維持するレシピデータベースをさらに含む、付記１６〜３５のいずれか１項に記載の情報システム。
（付記３７）
前記レシピデータベースが、種子処理システムによって選択可能な許可されたレシピ情報を維持する第一部分と、まだ許可されていない提案されたレシピを保存する第二部分とを含む、付記３６に記載の情報システム。
（付記３８）
前記レシピデータベースが、処理した種子の性能に影響を与えうるさらなる可変パラメータに基づいて、レシピを調節するための調節ロジックを含む、付記３７に記載の情報システム。
（付記３９）
前記さらなる可変パラメータが、種子パラメータ、現在の環境条件、農場特異的パラメータ、または任意のこれらの組み合わせからなる群より選択される少なくとも１つのパラメータを含む、付記３８に記載の情報システム。
（付記４０）
さらに、種子処理システムによって適用した時に、不適切なレシピ選択により不注意にもたらされる、望まない結果を防止するルール／制限を表す記録を維持する安全性情報データベース、を含む、付記１６〜３９のいずれか１項に記載の情報システム。
（付記４１）
さらに、処理した種子の末端購買者、およびバッチによるその購買歴に関する情報を維持する顧客データベースを含む、付記１６〜４０のいずれか１項に記載の情報システム。
（付記４２）
前記顧客データベースがさらに、末端顧客によって提供されたフォローアップデータを含む、付記４１に記載の情報システム。
（付記４３）
さらに、処理した種子が植えられる畑についての特異的な詳細を表す記録を維持する農場パラメータデータベースを含む、付記１６〜４２のいずれか１項に記載の情報システム。
（付記４４）
プログラム制御下のコンピューティングハードウェア操作を含む、自動化情報システムによる、複数の地理的に分散した小売種子処理センターの操作を支援するための方法であって、
ネットワークインターフェースモジュールを介して、前記複数の小売種子処理センターに配置された複数の小売種子処理システムと通信することと、
前記ネットワークインターフェースモジュールを介して、各前記小売種子処理センターに対応する種子小売業者の当事者と、少なくとも１つの供給業者の当事者を含む、複数の異なる当事者と通信することと、
各種子小売業者の当事者の種子処理システムによって自動的に発生する操作データが、前記ネットワークインターフェースモジュールを介して受信され、前記少なくとも１つの供給業者の当事者に、前記ネットワークインターフェースモジュールを介して提供され、前記少なくとも１つの供給業者の当事者によって生成される材料取扱いデータが、前記ネットワークインターフェースモジュールを介して受信され、各種子小売業者の当事者に、前記ネットワークインターフェースモジュールを介して提供されるように、各種子小売業者の当事者と、前記少なくとも１つの供給業者の当事者との間で情報交換を促進することと
を含む方法。
（付記４５）
各種子小売業者の当事者の種子処理システムが、その操作パラメータの自動的な調節を引き起こすように前記材料取扱いデータが適合される、付記４４に記載の方法。
（付記４６）
前記少なくとも１つの供給業者の当事者が、化学物質供給業者の当事者、種子供給業者の当事者、種子処理操作サポートサービス供給業者の当事者、またはその任意の組み合わせから選択される、１つまたはそれ以上の供給業者の当事者を含む、付記４４〜４５のいずれか１項に記載の方法。
（付記４７）
前記操作データが、種子処理システムパラメータ情報、実行履歴情報、現在の状態情報、材料利用情報またはその任意の組み合わせからなる群より選択される、各前記種子処理システムによって生成されるデータを含む、付記４４〜４６のいずれか１項に記載の方法。
（付記４８）
前記操作データが、第一種子処理システムのポンピングサブシステムの性能を表す材料消費情報を含む、付記４４〜４７のいずれか１項に記載の方法。
（付記４９）
前記材料取扱いデータが、在庫追跡情報、レシピ情報、種子パラメータ情報、安全性情報またはそれらの任意の組み合わせからなる群より選択される、前記少なくとも１つの供給業者の当事者によって生成されるデータを含む、付記４４〜４８のいずれか１項に記載の方法。
（付記５０）
さらに、１つまたはそれ以上の前記少なくとも１つの供給業者の当事者から、種子小売業者の当事者への材料の販売に関する取引情報が交換されるように、各種子小売業者の当事者および前記少なくとも１つの供給業者の当事者との間の情報交換機能を提供することを含む、付記４４〜４９のいずれか１項に記載の方法。
（付記５１）
さらに、前記ネットワークインターフェースモジュールを介して、複数の異なる供給業者の当事者と通信することを含む、付記４４〜５０のいずれか１項に記載の方法。
（付記５２）
さらに、第一供給業者の当事者と第二種子小売業者の当事者との間の操作データの交換に対応して、前記第一供給業者の当事者と前記第二種子小売業者の当事者との間の取引情報の交換を提供することを含む、付記５１に記載の方法。
（付記５３）
前記第一供給業者の当事者が、種子供給業者であり、前記操作データが、特定量の処理した種子の説明を含む、付記５２に記載の方法。
（付記５４）
前記第一供給業者の当事者が、化学物質供給業者であり、前記操作データが、前記種子処理システムによる特定量の消費された化学物質の説明を含む、付記４４〜５３のいずれか１項に記載の方法。
（付記５５）
前記材料取扱いデータが、化学製剤に対する制限を含む制約情報を含み、各前記種子処理システムが、特定のレシピを実行することが可能かどうか制限をすることによって応答するように構成される、付記４４〜５４のいずれか１項に記載の方法。
（付記５６）
前記少なくとも１つの供給業者の当事者が、少なくとも１つの種子処理システムに対するサービスプロバイダを含み、前記材料取扱いデータが、前記少なくとも１つの種子処理システムに対するソフトウェア更新を含む、付記４４〜５５のいずれか１項に記載の方法。
（付記５７）
末端顧客に対する処理した種子の小売販売に関する末端顧客特異的情報が交換されるように、各種子小売業者の当事者と前記少なくとも１つの供給業者の当事者との間の情報交換機能を提供することをさらに含む、付記４４〜５６のいずれか１項に記載の方法。
（付記５８）
各種子小売業者の当事者および前記少なくとも１つの供給業者の当事者によって提供されたデータに基き、意思決定機能を提供することをさらに含む、付記４４〜５７のいずれか１項に記載の方法。
（付記５９）
前記意思決定機能の結果が、各種子処理システムに提供される更新された材料取扱いデータの生成を含む、付記５８に記載の方法。
（付記６０）
小売種子卸業者における、オンサイト操作のために適合された自動化種子処理システムであって、
種子処理レシピに基づいて、種子のバッチに、複数の化学物質処理を適用するように構成された密封された種子処理機槽と、
密封された移動可能化学物質容器を受領するための大きさの複数のポンプステーションであって、各ポンプステーションには、ポンプおよび前記種子処理機槽に連通するフローチャネルが含まれる、複数のポンプステーションと、
種子処理レシピに対応して、前記複数のポンプステーションそれぞれからの材料移送指示を受領し、各ポンプステーションの前記ポンプの操作を制御するように構成されたプログラム可能なシステムコントローラとを含み、
前記プログラム可能なシステムコントローラが、種子処理の間に、対応する材料移送指示に基づいて、前記各ポンプステーションにおいて、化学物質容器からの化学物質の少なくとも消費を表す操作データを回収し、前記小売種子卸業者の場所から遠隔に位置し、前記小売種子卸業者とは異なる少なくとも１つの第三者にアクセス可能である、遠隔ホスト情報システムに、前記操作データを提供するように構成される、自動化種子処理システム。
（付記６１）
さらに、少なくとも１つのバーコードスキャナと、前記プログラム可能なシステムコントローラに動作可能に連結し、前記ポンプステーションのそれぞれの化学物質容器と関連した化学物質パラメータ情報を読み取るように構成された無線自動識別（ＲＦＩＤ）リーダーを含み、かつ前記プログラム可能なシステムコントローラが、化学物質容器の第三者供給業者によって遠隔アクセス可能な在庫データベース中の前記化学物質パラメータ情報を受信し、保存するように構成される、付記６０に記載の自動化種子処理システム。
（付記６２）
前記在庫データベースが、前記種子処理システムから遠隔でホストされ、前記種子処理システムに通信可能に連結された、付記６０または６１に記載の自動化種子処理システム。
（付記６３）
前記プログラム可能なシステムコントローラが、報告書作成および在庫管理のために、遠隔ホスト情報システムに、前記化学物質処理の消費を表す情報を供給するようにプログラムされる、付記６０〜６２のいずれか１項に記載の自動化種子処理システム。
（付記６４）
前記プログラム可能なシステムコントローラが、外部供給源から環境条件データを受信し、少なくとも１つの前記ポンプステーションを、前記環境条件データに対応して、新規ポンプ速度にて操作するように、前記環境条件データに基づいて、前記種子処理レシピに対する調節を自動的に行うように構成される、付記６０〜６３のいずれか１項に記載の自動化種子処理システム。
（付記６５）
前記操作データが、ポンプ性能を表す材料消費情報を含む、付記６０〜６４のいずれか１項に記載の自動化種子処理システム。
（付記６６）
前記操作データが、特定量の消費された化学物質を表す材料消費情報を含む、付記６０〜６５のいずれか１項に記載の自動化種子処理システム。
（付記６７）
前記操作データが、特定量の処理した種子を表す材料消費情報を含む、付記６０〜６６のいずれか１項に記載の自動化種子処理システム。
（付記６８）
前記プログラム可能なシステムコントローラが、前記遠隔ホスト情報システムから、前記種子処理レシピを受信するように構成される、付記６０〜６７のいずれか１項に記載の自動化種子処理システム。
（付記６９）
前記プログラム可能なシステムコントローラが、化学製剤に対する制限を含む制約情報で、第三者により前記遠隔ホスト情報システムに提供される前記制約情報を、前記遠隔ホスト情報システムから受信するように構成され、前記プログラム可能なシステムコントローラがさらに、特定のレシピを実行することが可能かどうか制限するために、前記制約情報を適用するように構成される、付記６０〜６８のいずれか１項に記載の自動化種子処理システム。
（付記７０）
前記少なくとも１つの第三者が、化学物質の供給業者、未処理種子の供給業者、自動化種子処理システムに対する操作サポートプロバイダ、前記自動化種子処理システムに対するサービスプロバイダ、またはそれらの任意の組み合わせからなる群より選択される組織を含む、付記６０〜６９のいずれか１項に記載の自動化種子処理システム。
（付記７１）
前記プログラム可能なシステムコントローラが、前記遠隔ホスト情報システムから、処理した種子が植えられる農場畑の特定の詳細を表す農場特異的パラメータを受信し、前記農場特異的パラメータに基づいて前記処理レシピを調節するように構成される、付記６０〜７０のいずれか１項に記載の自動化種子処理システム。
（付記７２）
小売卸売業者の場所で種子を処理するための方法であって、
塗布の場所でレシピにしたがって複数の処理化学物質を混合することと、
未知の量の種子に対して、前記処理化学物質の混合物を塗布することと、
未知の量の種子に塗布した複数の処理化学物質のそれぞれの重量および密度を決定することと、
化学物質塗布の完了に際して、未知の量の種子に塗布した複数の処理化学物質それぞれに対する消費された体積を計算することと
を含む方法。
（付記７３）
さらに、データベースに対して、複数の前記処理化学物質のそれぞれの消費量（体積）を報告することを含み、前記コンピュータデータベースが、有形コンピュータ読み取り可能媒体中に格納される、付記７２に記載の方法。
（付記７４）
特定量の種子を処理するのに必要な１つまたはそれ以上の処理化学物質の体積を計算することをさらに含む、付記７２または７３に記載の方法。
（付記７５）
個々の種子処理場にて、前記複数の処理化学物質のそれぞれの消費をモニタリングすることをさらに含む、付記７２〜７４のいずれか１項に記載の方法。
（付記７６）
種子処理場にて、環境条件を測定することをさらに含む、付記７２〜７５のいずれか１項に記載の方法。
（付記７７）
前記環境条件に対応して、前記処理化学物質の混合物の塗布速度を調節することをさらに含む、付記７６に記載の方法。
（付記７８）
前記環境条件が、温度、気圧、相対湿度またはそれらの任意の組み合わせからなる群より選択される、付記７７に記載の方法。
（付記７９）
処理化学物質の混合物での処理の前に、特定量の種子の水分含量を測定することをさらに含む、付記７２〜７８のいずれか１項に記載の方法。
（付記８０）
特定量の種子を前記処理化学物質の混合物で処理した後に、特定量の種子の水分含量を測定することをさらに含む、付記７２〜７９のいずれか１項に記載の方法。
（付記８１）
特定量の種子中の測定した水分含量に対応して、処理化学物質の前記混合物の塗布速度を調節することをさらに含む、付記７２〜８０のいずれか１項に記載の方法。
（付記８２）
小売種子卸業者にてオンサイト操作のために適合された自動化種子処理システムであって、
種子処理レシピに基づいて、種子のバッチに、複数の化学物質処理を適用するように構成された密封された種子処理機槽と、
密封された移動可能化学物質容器を受領するための大きさの複数のポンプステーションであって、各ポンプステーションには、ポンプ、ポンプを操作するように構成されたポンプコントローラ、および前記種子処理機槽に連通するフローチャネルが含まれる複数のポンプステーションと、
前記複数のポンプステーションのそれぞれでポンプに連結したプログラム可能なシステムコントローラであって、種子処理レシピに対応して、前記複数のポンプステーションのそれぞれから材料移送指示を受領し、各ポンプステーションの前記ポンプの操作を制御するように構成されたプログラム可能なシステムコントローラとを含み、
前記プログラム可能なシステムコントローラが、遠隔ホストデータベースに、前記種子処理レシピを送信し、それに対応して、前記種子処理レシピに対応する遠隔ホストデータベース取扱い情報および警告ラベル情報を受信するように構成される、システム。
（付記８３）
前記取扱いおよび警告ラベル情報が、最も制限のある取扱説明書を有するレシピの化学成分に対応する、付記８２に記載のシステム。